(57)【要約】【課題】副竪樋をガタツキなく差込接続できる集水器を提供する。【解決手段】主竪樋差込用の第一開口部２ａと副竪樋差込用の第二開口部２ｂを左右に連ねて形成した開口部２に上方から主竪樋１１と副竪樋１２が差し込まれると共に、下端の接続口３に竪樋１３が接続される集水器１であって、集水器の副竪樋１２が差し込まれる第二開口部２ｂの内面には縦リブ８が複数本形成されており、各縦リブ８には副竪樋１２の下端を支持する同じ高さの支持段部８ａが形成され、この支持段部８ａより上部８ｂはリブ上端に近づくほどリブ高さが減少するように形成されている集水器とする。縦リブ８の内側に沿わせて副竪樋１２を上方から差し込むと、各縦リブ８の上部８ｂによって副竪樋１２を外側から押圧する分力が生じ、これらの分力が均衡して副竪樋１２をガタツキなく差込接続することができる。【選択図】　図３
2004027707.tif 000002
【特許請求の範囲】
【請求項１】
主竪樋差込用の第一開口部と副竪樋差込用の第二開口部を左右に連ねて形成した開口部に上方から主竪樋と副竪樋が差し込まれると共に、下端の接続口に竪樋が接続される集水器であって、
該集水器の副竪樋が差込まれる第二開口部の内面には縦リブが複数本形成されており、各縦リブには副竪樋の下端を支持する同じ高さの支持段部が形成され、該支持段部より上部はリブ上端に近づくほどリブ高さが減少するように形成されていることを特徴とする集水器。
【請求項２】
前記縦リブは、前記第二開口部の少なくとも前後壁の内面に設けられ、第二開口部の中心から略等距離にあって、且つ第二開口部の中心から第一開口部の方に少し偏位した相対向する位置にあることを特徴とする請求項１に記載の集水器。
【請求項３】
前記第二開口部の側壁内面を前後に二等分する位置に縦リブが設けられていることを特徴とする請求項１又は請求項２に記載の集水器。
【請求項４】
前記縦リブの上端のリブ高さが零であることを特徴とする請求項１ないし請求項３のいずれかに記載の集水器。
【請求項５】
前記第一開口部と前記第二開口部との境界部分の前後壁に、それぞれ内側へ凹入するＶ形壁部が形成されていることを特徴とする請求項１ないし請求項４のいずれかに記載の集水器。
【発明の詳細な説明】
【０００１】
【発明の属する技術分野】
本発明は、主竪樋と副竪樋が上方から差し込まれると共に、下端の接続口に竪樋が接続される集水器に関する。
【０００２】
【従来の技術】
従来、この種の集水器には、主竪樋及び副竪樋として丸樋を差し込む丸樋専用のものと、主竪樋及び副竪樋として角樋を差し込む角樋専用のものとがあり、丸樋でも角樋でも差し込むことができる兼用タイプの集水器は存在しなかった。
【０００３】
このような事情から、近年、兼用タイプの便利な集水器が提案された（実公平７−５２８４４号）。この集水器は、主竪樋が差し込まれる部分の前後壁の内面に、主竪樋を支持する段部を複数段形成した支持リブを２本ずつ対向させて設けると共に、側壁の内面にも同様の支持リブを１本設け、更に、副竪樋が差し込まれる部分の前後壁の内面と側壁の内面にも、同様の支持リブを１本ずつ設けたものである。
【０００４】
斯かる集水器は、主竪樋が角樋であれば、主竪樋を差し込む部分に設けられた合計５本の支持リブによって主竪樋を支持でき、主竪樋が丸樋であれば、主竪樋を差し込む部分の前後壁に設けられた合計４本の支持リブによって主竪樋を支持でき、副竪樋が角樋の場合でも丸樋の場合でも、副竪樋を差し込む部分に設けられた合計３本の支持リブによって副竪樋を支持できるため、主竪樋及び副竪樋が角樋でも丸樋でも差込接続が可能である。
【０００５】
【発明が解決しようとする課題】
しかしながら、上記の兼用タイプの集水器は、支持リブが主竪樋や副竪樋の外面を周囲から押圧固定する機能を有しないため、差し込まれた主竪樋や副竪樋にガタツキが生じやすく、特に、主竪樋や副竪樋の外寸法が寸法誤差により規格の外寸法よりも小さい場合にガタツキが大きくなるという問題があった。
【０００６】
本発明は上記の問題に対処すべくなされたもので、副竪樋をガタツキなく差込接続できる集水器を提供することを主たる目的とし、好ましい実施形態では、副竪樋が丸樋でも角樋でもガタツキが生じないようにすることを目的としている。
【０００７】
【課題を解決するための手段】
上記の目的を達成するため、本発明の集水器は、主竪樋差込用の第一開口部と副竪樋差込用の第二開口部を左右に連ねて形成した開口部に上方から主竪樋と副竪樋が差し込まれると共に、下端の接続口に竪樋が接続される集水器であって、該集水器の副竪樋が差込まれる第二開口部の内面には縦リブが複数本形成されており、各縦リブには副竪樋の下端を支持する同じ高さの支持段部が形成され、該支持段部より上部はリブ上端に近づくほどリブ高さが減少するように形成されていることを特徴とするものである。
【０００８】
斯かる集水器では、第二開口部の内面に複数本形成された縦リブの内側に沿わせて副竪樋を上方から差し込むと、副竪樋の下端が各縦リブの支持段部に当接して支持される。このとき、各縦リブの支持段部より上部はリブ上端に近づくほどリブ高さが減少するように形成されているため（換言すれば各縦リブの上部の内側面が傾斜しているため）、各縦リブの上部によって副竪樋を外側から押圧する分力が生じ、これらの分力が均衡して副竪樋がガタツキなく差込接続される。
【０００９】
本発明の集水器においては、その縦リブが第二開口部の少なくとも前後壁の内面に設けられ、第二開口部の中心から略等距離にあって、且つ第二開口部の中心から第一開口部の方に少し偏位した相対向する位置にあることが望ましい。
【００１０】
このように縦リブを設けると、副竪樋として丸樋を第二開口部に差し込んだとき、前後壁に形成された縦リブの上部によって、丸樋を第二開口部の側壁の方へ押圧する分力が生じ、この分力によって丸樋が第二開口部の側壁へ押付けられると共に、前後壁の縦リブの上部によって丸樋を後方および前方へそれぞれ押圧する分力が生じ、この分力によって丸樋が前後から挟圧されるため、丸樋をガタツキなく差込接続することができる。一方、副竪樋として角樋を第二開口部に差し込んだときは、前後壁に形成された縦リブの上部によって、角樋を後方および前方へそれぞれ押圧する分力が生じ、これらの分力によって角樋が前後から挟圧されるため、角樋をガタツキなく差込接続することができる。
【００１１】
また、本発明の集水器においては、その第二開口部の側壁内面を前後に二等分する位置に縦リブを設けることが望ましく、更に、第一開口部と前記第二開口部との境界部分の前後壁に、それぞれ内側へ凹入するＶ形壁部を形成することが望ましい。このようにすると、副竪樋として丸樋を第二開口部に差し込んだとき、側壁内面の縦リブの上部と前後壁内面の縦リブの上部によってそれぞれ生じる分力が均衡し、丸樋が周囲からほぼ均等に押圧されるので、丸樋をガタツキなく差込接続することができる。一方、副竪樋として角樋を差し込んだときは、側壁内面の縦リブの上部によって角樋を第一開口部の方へ押圧する分力が生じ、この分力によって角樋がＶ形壁部に押付けられると共に、前後壁内面の縦リブの上部によって角樋が前後から挟圧されるため、角樋をガタツキなく差込接続することができる。
【００１２】
また、本発明の集水器においては、各縦リブの上端のリブ高さが零であることが望ましく、このようにすると副竪樋を差し込む際に各縦リブの上端に副竪樋が当たらないので、スムーズに副竪樋を差込接続することができる。
【００１３】
【発明の実施の形態】
以下、図面を参照して本発明の具体的な実施形態を詳述する。
【００１４】
図１は本発明の一実施形態に係る集水器の概略全体説明図、図２は同集水器の平面図、図３は図２のＡ−Ａ線断面図、図４（ａ）（ｂ）（ｃ）はいずれも形状が異なる縦リブの断面図、図５（ａ）は副竪樋として丸樋を差し込んだときの作用説明図、図５（ｂ）は副竪樋として角樋を差し込んだときの作用説明図である。
【００１５】
この集水器１は合成樹脂の射出成形品であって、図１に示すように、集水器１の開口部２には主竪樋１１と副竪樋１２が上方から差し込まれ、集水器下端の接続口３は竪樋１３に差込接続されるようになっている。この図１においては、主竪樋１１として角樋を使用し、副竪樋１２として丸樋を使用しているが、後述するように、主竪樋１１や副竪樋１２として、角樋を使用することも、丸樋を使用することも可能である。
【００１６】
図２に示すように、集水器１の開口部２は、主竪樋差込用の略正方形の第一開口部２ａと副竪樋差込用の略正方形の第二開口部２ｂを左右に連ねて形成されている。そして、図３に示すように、集水器１の主竪樋１１が差し込まれる第一開口部２ａの下端には、上記の竪樋１３（角竪樋）に差込接続される略正方形の接続口３が形成されており、この接続口３の上部外周には外筒部３ａが形成されている。従って、接続口３を竪樋１３の上端開口に差し込むと、この接続口３と外筒部３ａとの間の空隙部３ｂに竪樋１３の上端が挿入されるので、水密的に接続することができる。
【００１７】
この集水器１の副竪樋１２が差し込まれる第二開口部２ｂの底壁４は、図３に示すように接続口３に向かって徐々に低くなるように傾斜しているため、副竪樋１２から流入した雨水は、底壁４を流れて接続口３から竪樋１３にスムーズに流落できるようになっている。
【００１８】
図２、図３に示すように、この集水器１の副竪樋１２が差し込まれる第二開口部２ｂの前後壁５ｂ，６ｂの内面と側壁７ｂの内面には、縦リブ８が１本ずつ合計３本形成されている。これらの縦リブ８は第二開口部２ｂの中心Ｏから略等距離の位置にあり、そのうち前後壁５ｂ，６ｂの内面の縦リブ８，８は、第二開口部２ｂの中心Ｏから第一開口部２ａの方に少し偏位した相対向する位置に形成されている。そして、側壁７ｂの縦リブ８は、該側壁７ｂを前後に二等分する位置に形成されている。
【００１９】
上記の各縦リブ８には、副竪樋１２の下端を支持する同じ高さの支持段部８ａが一つずつ形成されており、各縦リブ８の支持段部８ａより上部８ｂは、リブ上端に近づくほどリブ高さが減少するように形成されている。そして、各縦リブ８の上端のリブ高さが零になったところで縦リブ８が消滅している。この実施形態における縦リブ８の支持段部８ａより上部８ｂの内側面８ｃは、図４（ａ）に示すように、集水器の内側へ緩やかに凸曲する凸曲面に形成されているが、図４（ｂ）に示すように内側面８ｃが平らな斜面に形成されていても良く、図４（ｃ）に示すように内側面８ｃが外側へ緩やかに凹曲する凹曲面に形成されていても良い。副竪樋１２の差込作業のしやすさや抜けにくさを考慮すると、内側面８ｃを凸曲面に形成するのが最良である。
【００２０】
また、図２，図３に示すように、集水器１の主竪樋１１が差し込まれる第一開口部２ａの前後壁５ａ，６ａの内面と側壁７ａの内面にも縦リブ９が１本ずつ合計３本形成されており、これらの縦リブ９は上述した縦リブ８と左右対称の位置関係とされている。即ち、これらの縦リブ９は第一開口部２ａの中心Ｏから略等距離の位置にあり、そのうち前後壁５ａ，６ａの内面の縦リブ９，９は、第一開口部２ａの中心Ｏから第二開口部２ｂの方に少し偏位した相対向する位置に形成されており、側壁７ｂの縦リブ８は該側壁７ｂを前後に二等分する位置に形成されている。
【００２１】
これらの縦リブ９は、上述した縦リブ８と実質的に同様のものであって、主竪樋１１の下端を支持する同じ高さの支持段部９ａ（但し、この支持段部９ａの高さは上述の縦リブ８の支持段部８ａより少し低い）が形成されており、この支持段部９ａより上部９ｂは、リブ上端に近づくほどリブ高さが減少するように形成されて、上部９ｂの内側面９ｃが内側に緩やかに凸曲する凸曲面になっている。そして、縦リブ９の上端のリブ高さが零になったところで縦リブ９が消滅している。
【００２２】
また、図２，図３に示すように、この集水器１の主竪樋１１が差し込まれる第一開口部２ａと副竪樋１２が差し込まれる第二開口部２ｂとの境界部分の前後壁には、それぞれ内側へ凹入するＶ形壁部５ｃ，６ｃが形成されている。
【００２３】
以上のような構成の集水器１は、既述したように、その開口部２に主竪樋１１と副竪樋１２が上方から差し込まれ、下端の接続口３が下側の竪樋１３に差込接続されて取付施工される。その場合、図５（ａ）に示すように、集水器１の第二開口部２ｂの内部に、副竪樋１２として丸樋を３本の縦リブ８の内側に沿わせつつ、各縦リブ８の支持段部８ａに副竪樋（丸樋）１２の下端が当たるまで差し込むと、各縦リブ８の上部８ｂはリブ上端に近づくほどリブ高さが減少するように形成されて該上部８ｂの内側面８ｃが傾斜した凸曲面となっていること、及び、前後壁５ｂ，６ｂの縦リブ８，８は第二開口部２ｂの中心Ｏから第一開口部２ａの方へ少し偏位した相対向する位置に形成されていることから、前後壁５ｂ，６ｂの縦リブ８，８の上部８ｂ，８ｂによって副竪樋１２を側壁７ｂの方へ押圧する分力ｆ１　，ｆ１　が生じると共に、該側壁７ｂに形成された縦リブ８の上部８ｂによって副竪樋１２を反対側に押圧する分力ｆ２　が生じ、更に、前後壁５ｂ，６ｂの縦リブ８，８の上部８ｂ，８ｂによって副竪樋１２を後方及び前方にそれぞれ押圧する分力ｆ３　，ｆ４　が生じる。そして、これらの分力ｆ１　，ｆ２　，ｆ３　，ｆ４　が均衡して副竪樋（丸樋）１２を前後左右から押圧固定するため、副竪樋１２がガタツキなく差込接続される。
【００２４】
また、図５（ｂ）に示すように、副竪樋１２として角樋を差し込むと、前後壁５ａ，６ａに形成された縦リブ８，８の上部８ｂ，８ｂによって、副竪樋（角樋）１２を後方へ押圧する分力ｆ５　と前方へ押圧する分力ｆ６　が生じると共に、側壁７ｂに形成された縦リブ８の上部８ｂによって、副竪樋１２を第一開口部２ａの方へ押圧する分力ｆ７　が生じ、この分力ｆ７　によって副竪樋１２はＶ形壁部５ｃ，６ｃに押付けられる。従って、副竪樋（角樋）１２は、これらの縦リブ８とＶ形壁部５ｃ，６ｃによって前後左右から押圧固定されるため、ガタツキなく差込接続される。
【００２５】
一方、主竪樋１１を集水器の第一開口部２ａに差し込む場合も、３本の縦リブ９が上記と同様に作用するため、主竪樋１１が丸樋でも角樋でもガタツキなく差込接続される。
【００２６】
尚、既述したように各縦リブ８，９の上端のリブ高さが零であるため、副竪樋１２や主竪樋１１を差し込む際に、各縦リブ８，９の上端に副竪樋１２や主竪樋１１が当たることがなく、スムーズに差込接続することができる。加えて、各縦リブ８，９の支持段部８ａ，９ａは、集水器１の深さの略半分の深さのところに一段だけ形成されているため、副竪樋１２や主竪樋１１の差込み深さを大きくとることができ、より安定した状態でガタツキなく差込接続できるので、施工性が良好である。
【００２７】
以上、一実施形態を挙げて本発明の集水器を説明したが、本発明はこの実施形態の集水器のみに限定されるものではなく、例えば、接続口３を円形にして丸竪樋に接続できるようにしたり、第一開口部や第二開口部を円形にした丸樋用の集水器にするなど、種々の設計的変更を許容し得るものである。
【００２８】
【発明の効果】
本発明の集水器は副竪樋をガタツキなく差込接続できるといった効果を奏し、特に、縦リブを特定の位置関係に設けたものは、副竪樋として丸樋でも角樋でもガタツキなく差込接続することができ、縦リブの上端のリブ高さを零にしたものは、副竪樋の差込作業がスムーズで施工性が良いといった効果を併せて奏する。
【図面の簡単な説明】
【図１】本発明の一実施形態に係る集水器の概略全体説明図である。
【図２】同集水器の平面図である。
【図３】図２のＡ−Ａ線断面図である。
【図４】（ａ）（ｂ）（ｃ）はいずれも形状が異なる縦リブの断面図である。
【図５】（ａ）は副竪樋として丸樋を差し込んだときの作用説明図、（ｂ）は副竪樋として角樋を差し込んだときの作用説明図である。
【符号の説明】
１　集水器
２　開口部
２ａ　第一開口部
２ｂ　第二開口部
３　接続口
５ａ，５ｂ　前壁
６ａ，６ｂ　後壁
７ａ，７ｂ　側壁
５ｃ，６ｃ　Ｖ形壁部
８，９　縦リブ
８ａ，９ａ　支持段部
８ｂ，９ｂ　縦リブの上部
８ｃ，９ｃ　縦リブの上部の内側面
１１　主竪樋
１２　副竪樋
１３　竪樋
Ｏ　第一開口部及び第二開口部のそれぞれの中心
【図１】
2004027707.tif 000003
【図２】
2004027707.tif 000004
【図３】
2004027707.tif 000005
【図４】
2004027707.tif 000006
【図５】
2004027707.tif 000007